(57)【特許請求の範囲】
【請求項１】
コンパクト型蛍光ランプの口金部から突設する４つの給電端子のうちの２つに対応する位置のみに第１および第２の電極穴が形成された本体部と、
前記本体部に傾動可能に軸支され、コンパクト型ＬＥＤランプの口金部における、前記第１および第２の電極穴に対応する位置に突設された第１および第２の電極端子を挿通させる挿通孔が底面に形成され、前記コンパクト型ＬＥＤランプの口金部を包み込む口金収容凹部を有したガイド部とで構成された、ＬＥＤランプ用ソケット。
【請求項２】
請求項１に記載のＬＥＤランプ用ソケットにおいて、
前記第１および第２の電極穴は、前記コンパクト型ＬＥＤランプが直流駆動タイプであるか、交流駆動タイプであるかにより、前記コンパクト型蛍光ランプの口金部から突設する４つの給電端子のうちのいずれの２つに対応するかを異ならせている、ＬＥＤランプ用ソケット。
【請求項３】
請求項１または２に記載のＬＥＤランプ用ソケットにおいて、
前記コンパクト型蛍光ランプの口金部から突設する４つの給電端子に対応する位置に形成された４つの電極穴のうち、前記第１および第２の電極穴以外の位置に穴埋加工痕がある、ＬＥＤランプ用ソケット。
【請求項４】
請求項１または２に記載のＬＥＤランプ用ソケットにおいて、
前記本体部には、ＬＥＤランプをアースするための１つの電極穴が更に形成されているＬＥＤランプ用ソケット。
【請求項５】
請求項１〜４のいずれかに記載のＬＥＤランプ用ソケットと、コンパクト型ＬＥＤランプとを組み合わせて構成された照明器具。
【発明の詳細な説明】
【技術分野】
【０００１】
本発明は、いわゆるコンパクト型、あるいはツイン型蛍光ランプに類似させた形状を有するＬＥＤランプに対応したＬＥＤランプ用ソケット、およびこれを用いた照明器具に関する。
【背景技術】
【０００２】
近時、エコを目的とした屋内設備のリニューアルとして、照明用の蛍光ランプ等を、低消費電力かつ長寿命なＬＥＤランプによって置換することがしばしば行われている。そして、いわゆるコンパクト型、あるいはツイン型蛍光ランプ（ＦＰＬ３６Ｗ型等）も例外ではなく、たとえば次の非特許文献にあるように、それを代替するためのＬＥＤランプが市販され始めている。
【０００３】
従来の蛍光ランプを代替することを目的としたＬＥＤランプの場合、その蛍光ランプ用のソケットにそのまま装着できる口金部を備えたものとすれば、ソケットを交換する必要がないのでリニューアルの費用を抑えることができる。また事実、非特許文献１に記載のＬＥＤランプも、従来の蛍光ランプと同形状の口金部を採用している。
【先行技術文献】
【非特許文献】
【０００４】
【非特許文献１】http://www.yusac.ne.jp/keikoutou/fhp.pdf
【発明の概要】
【発明が解決しようとする課題】
【０００５】
ところでＬＥＤランプは、外部から供給された直流電源によって内部のＬＥＤ素子を発光させるか、あるいは外部から供給された交流電源を受け、それを内部の電源回路によって整流した直流電源によってＬＥＤ素子を発光させる仕組みなので、口金部には一組の給電端子を備えればよい。これは二組（４つ）の給電端子を必要とする従来の蛍光ランプとは異なる大きな特徴である。
【０００６】
よって、従来の蛍光ランプを代替するＬＥＤランプであっても、このＬＥＤランプ専用のソケットでは、そのような特徴を生かす構成とするのが望ましい。しかし特にコンパクト型、あるいはツイン型蛍光ランプを代替するＬＥＤランプ用のソケットについてみると、そのようなものは未だ提案されていない。
【０００７】
そこで本発明は、そのようなコンパクト型、あるいはツイン型蛍光ランプを代替するＬＥＤランプ用のソケットとして、上記の特徴を生かした新規な構成のＬＥＤランプ用ソケット、およびこれを用いた照明器具を提供することを目的とする。
【課題を解決するための手段】
【０００８】
本発明によるＬＥＤランプ用ソケットは、コンパクト型蛍光ランプの口金部から突設する４つの給電端子のうちの２つに対応する位置のみに第１および第２の電極穴が形成された本体部と、前記本体部に傾動可能に軸支され、コンパクト型ＬＥＤランプの口金部における、前記第１および第２の電極穴に対応する位置に突設された第１および第２の電極端子を挿通させる挿通孔が底面に形成され、前記コンパクト型ＬＥＤランプの口金部を包み込む口金収容凹部を有したガイド部とで構成される。
【０００９】
本発明によるＬＥＤランプ用ソケットにおいて、前記第１および第２の電極穴は、前記コンパクト型ＬＥＤランプが直流駆動タイプであるか、交流駆動タイプであるかにより、前記コンパクト型蛍光ランプの口金部から突設する４つの給電端子のうちのいずれの２つに対応するかを異ならせているようにしてもよい。
【００１０】
本発明によるＬＥＤランプ用ソケットにおいて、前記コンパクト型蛍光ランプの口金部から突設する４つの給電端子に対応する位置に形成された４つの電極穴のうち、前記第１および第２の電極穴以外の位置に穴埋加工痕があるようにしてもよい。
【００１１】
前記本体部には、ＬＥＤランプに対応して、ＬＥＤランプをアースするための１つの電極穴が更に形成されていてもよい。
【００１２】
本発明による照明器具は、前記ＬＥＤランプ用ソケットと、コンパクト型ＬＥＤランプとを組み合わせて構成される。
【発明の効果】
【００１３】
本発明によるＬＥＤランプ用ソケットは、電極穴が一組しかなく、電極穴の数が従来の蛍光ランプ用ソケットよりも少なくなっている。そのため、このＬＥＤランプ用ソケットに、蛍光ランプを誤装着してしまうという作業ミスを確実に防止できる。更に、直流駆動式のＬＥＤランプと、交流駆動式のＬＥＤランプとで、電極穴配置を異ならせた構成では、交流電源用ソケットに、直流駆動式のＬＥＤランプを誤装着してしまう作業ミスを防止できる。本発明による照明器具でも、上記と同様の効果が得られる。
【図面の簡単な説明】
【００１４】
【図１】本発明によるＬＥＤランプ用ソケットの一例を示す平面図（ａ）と、ＬＥＤランプが装着された状態を示す横断面図（ｂ）と、ＬＥＤランプを装着する前の状態を示す横断面図（ｃ）である。
【図２】図１に示したＬＥＤランプ用ソケットの左側面図（ａ）と、正面図（ｂ）と、右側面図（ｃ）と、背面図（ｄ）と、平面図（ｅ）と、底面図（ｆ）である。
【図３】（ａ）〜（ｃ）はそれぞれ、電極穴の配置を異ならせたＬＥＤランプ用ソケットの変形例を示す平面図である。
【図４】複数のＬＥＤランプ用ソケットを渡り配線した状態を示す概念図である。
【図５】内部配線を異ならせた複数のＬＥＤランプ用ソケットを渡り配線した状態を示す概念図である。
【図６】図１に示したＬＥＤランプ用ソケットに装着されるＬＥＤランプの正面図（ａ）と、右側面図（ｂ）と、底面図（ｃ）である。
【図７】（ａ）〜（ｃ）はそれぞれ、給電端子の配置を異ならせたＬＥＤランプの変形例である。
【図８】（ａ）〜（ｄ）は、本発明によるＬＥＤランプ用ソケットの他例を示す平面図であり、それぞれ電極穴の配置を異ならせている。ある。
【図９】図８（ａ）に示したＬＥＤランプ用ソケットに装着されるＬＥＤランプの正面図（ａ）と、右側面図（ｂ）と、底面図（ｃ）である。
【図１０】（ａ）〜（ｃ）はそれぞれ、給電端子の配置を異ならせたＬＥＤランプの変形例の正面図である。
【発明を実施するための形態】
【００１５】
本発明は、いわゆるコンパクト型蛍光ランプの代替を意図して製造されたＬＥＤランプ（図６、図９参照）の口金部に対応するソケットである。
【００１６】
コンパクト型蛍光ランプは、先端部が互いに連通された平行な２本の放電管の根元を、楕円形の広がりを有する口金部に固着させたものである。すなわち直管形蛍光ランプを中央で折り返し、その両端の口金部を１つにまとめたような構造であるから、その口金部には２組（４本）の給電端子が設けられている。
【００１７】
これに対してＬＥＤランプは、一組のみの給電端子が口金部に設けられる。しかしながらＬＥＤランプには、交流駆動タイプのものと、直流駆動タイプのものがあるから、それぞれに対応してソケットとを用意する必要がある。
【００１８】
図１、図２は、本発明が提案するソケットの一例で、交流駆動タイプのＬＥＤランプに対応した交流電源用ソケットである。
【００１９】
これらの図において、ソケット１は、ランプの口金部２０より突設された一組の給電端子２１を挿通させる挿通孔１１ｆが底面に形成され、その口金部２０を包み込む口金収容凹部を有したガイド部１１と、このガイド部１１を傾動可能に取付け、挿通孔１１ｆより突出させたＬＥＤランプ２の一組の給電端子２１を挿着させる一組の電極穴１３が対応して形成された本体部１２とで構成される。
【００２０】
ガイド部１１は、楕円形の広がりを有する内周壁が形成された口金収容凹部１１ａと、口金部２０の給電端子２１を挿通させるための矩形の挿通孔１１ｆが形成された底面１１ｂからなる。口金収容凹部１１ａの両側には、口金部２０の両側に設けられている係止片２０ａを受け入れて奥方向にスライドさせる一対の係止溝部１１ｃが対向して形成されている。
【００２１】
また口金収容凹部１１ａの内周壁の係止溝部１１ｃに隣接した対向位置には、ランプ種別制限突起１１ｄが形成されている。ランプ種別制限突起１１ｄは、たとえばＬＥＤランプ２の定格電力等に基づいて、このソケット１に装着可能なランプの種別を制限するためのものである。当然であるが、このソケット１に装着すべき口金部２０には、そのランプ種別制限突起１１ｄに、装着時に障害にならないための切欠き２０ｂが必要である（図６（ｂ）参照）。
【００２２】
底面１１ｂの両外側には一対の軸受部１１ｅが設けられ、それぞれの軸受部１１ｅには、本体部１２から突出して形成された支持軸１２ａが挿通されている。そのためガイド部１１は、その支持軸１２ａを中心として傾動可能である。
【００２３】
本体部１２は、概ね長方体形であって、口金部２０の給電端子２１を装着させる電極穴１３が形成された本体背面部に対して、ガイド部１１を直立させた状態のとき、すなわちガイド部１１が口金保持位置にあるとき、そのガイド部１１を係止溝部１１ｃを含めて半分以上収容するためのガイド部収容凹部１２ｂが、正面から上面にかけて開口されている。
【００２４】
本体左右側面部の内側には、ガイド部１１の係止溝部１１ｃより突出した口金部２０の係止片２０ａを収容する係止片収容部１２ｃが形成されている。係止片収容部１２ｃは、左右側面部の裏面より後退した段差部で、その横断面がガイド部１１の側に開口されている。本体背面部に対してガイド部１１を傾斜させた状態（図１（ｃ）参照）では、口金部２０は、ガイド部１１の口金収容凹部１１ａに対して自由に挿入抜出可能である。しかし、その状態で口金部２０をガイド部１１の口金収容凹部１１ａに挿入してから、本体背面部に対してガイド部１１を直立させた状態（図１（ｂ）参照）にすると、口金部２０の係止片２０ａは、ガイド部１１の係止溝部１１ｃと係止片収容部１２ｃとによって周囲が囲まれた状態となって、口金部２０はソケット１によって抜け出しできない状態に保持されることになる。
【００２５】
電極穴１３はいずれも、本体底面部の内側に形成され上方に向いて開口している。それぞれの電極穴には毛抜きのように両側から挟み込むタイプの金属製接続端子が埋設されている。電極穴１３に挿入された給電端子２１は、この毛抜き形の接続端子によって挟持されて電気的な接続が確立される。
【００２６】
電極穴１３の位置は特に制限されないが、例えば、従来のコンパクト型蛍光ランプ用のソケットと同様の場所、すなわち口金保持位置にあるガイド部１１の底面１１ｂに相対する位置に、正方形の土台部１２ｄを形成し、その正方形の各頂点を電極穴１３の候補位置として、そこから２カ所を選択して電極穴１３を形成してもよい。この例では、上側の２カ所に電極穴１３を形成して、残った２カ所は、「Ｌ」、「Ｎ」の電極名を表記する場所として利用している。
【００２７】
図３（ａ）〜（ｃ）は、図１（ａ）とは電極穴の位置を異ならせた変形例の平面図である。このような電極穴１３の配置に対しても本発明は適用できる。
【００２８】
土台部１２ｄの各頂点のそれぞれに電極穴１３が形成された本体部を準備して、必要な２カ所を残し、不要な２カ所を穴埋加工して塞ぐようにしてもよい。従来の蛍光ランプ用ソケットには、そのような４カ所に電極穴１３が形成されているので、その部品を流用してもよい。また、このような製造方法は、後述する直流駆動タイプのＬＥＤランプに対応したソケット１にもそのまま適用できる。このような穴埋加工を施したソケット１では、２個の電極穴１３の近傍に、２個の穴埋加工痕１１ｇが生じることになる。しかしその穴埋加工痕１１ｇの上に上記のような電極名を刻印してもよい。
【００２９】
本体背面部には、電極穴１３に対応して、給電線を接続して電源を供給するための電源接続部１４と、電源に接続されたソケット１から隣接したソケット１に給電するために対応して設けた、渡り配線用の電源接続部１４とが設けられている。それぞれの電源接続部１４は、背面部の外側に形成した配線挿入穴の奥にそれぞれ速結端子を収容して構成すれば配線作業が簡単にできて便利である。
【００３０】
本体底面部は電極穴１３の深さが確保できる厚みを有する必要があり、そのため電極穴１３の周囲に空間が生じるので、電極穴１３を電源接続部１４に接続するための部材を本体天面部に無理なく収めることができる。配線部材にはリード線を用いてもよいし、金属板等を用いてもよい。
【００３１】
電極穴１３と、それらの電源接続部１４との接続に特に制限はないが、たとえば図４に示すような対応関係で、それぞれの電極穴１３に２つずつの電源接続部１４を接続させればよい。そうすれば図示のように、複数のソケット１を渡り配線で連結できるので、それぞれのソケット１を個別の電源線で交流電源４０に接続するよりも接続線が短くて済み、配線加工も簡単である。これは複数のＬＥＤランプ２を用いる照明器具等では非常に有利であり、製品を低コストで提供できるようになる。
【００３２】
図５は、電極穴１３と電源接続部１４との対応関係を異ならせた例である。図４、図５は例示に過ぎず、これ以外の対応関係も可能である。
【００３３】
図６に示したＬＥＤランプ２は、図１に示したソケット１に対応した交流駆動タイプのものである。このＬＥＤランプ２は、楕円筒形のランプ本体２２の一方の端部に口金部２０が固定され、他方の端部にはキャップ２４が固定されている。ランプ本体２２は、ＬＥＤ素子２５を実装した基板２４が金属本体２２ａの上面に固定され、その金属本体２２ａに透光カバー２２ｂを被せた基本構造である。ＬＥＤ素子２５から照射された光は、透光カバー２２ｂを透過して照明光となる。金属本体２２ａには、直流電源を生じさせる電源部２３が設けられている。口金部２０は、端面の長手方向に一組の給電端子２１が並べて突設されている。また口金部２０の周壁面には、係止片２０ａと、切欠き２０ｂとが形成されている。このＬＥＤランプは、給電端子２１を通じて交流電源を受け、電源部２３によって整流した直流電源によってＬＥＤ素子を点灯させる。
【００３４】
図７（ａ）〜（ｃ）は、給電端子の配置を異ならせたＬＥＤランプ２の変形例であって、それぞれ図３の（ａ）〜（ｃ）に示したソケット１に対応している。
【００３５】
図８（ａ）〜（ｄ）はいずれも、本発明が提案するソケットの他例で、直流駆動タイプのＬＥＤランプに対応した直流電源用ソケットとし得るが、図１および図３の（ａ）〜（ｃ）から選択した交流電源用ソケット１とは電源穴１３の配置が異なるものを選択すべきである。電源穴１３の配置以外の構成は、いずれのソケット１でも同様である。なお、図８（ａ）の例では、土台部１２ｄの各頂点の中から、右側の２カ所に電極穴１３を形成し、残った２カ所は、「＋」、「−」の電極名を表記する場所として利用している。
【００３６】
図９に示したＬＥＤランプ２は、図８（ａ）に示したソケット１に対応した直流駆動タイプのものである。図６に示したＬＥＤランプ２に類似した形状を有するが、電源部２３を備えない点と、口金部２０の端面の短軸方向に一組の給電端子２１が並べて突設されている点とが異なっている。また、このＬＥＤランプ２は、給電端子２１を通じて直流電源を受け、その直流電源によってＬＥＤ素子を点灯させる。
【００３７】
図１０の（ａ）〜（ｃ）はいずれも、図９に示したＬＥＤランプ２から給電端子の配置を異ならせた変形例であって、それぞれ図８の（ｂ）〜（ｄ）に示したソケット１に対応している。
【００３８】
上記のように、交流電源用ソケット（図１、図３（ａ）〜（ｃ）参照）と、直流電源用ソケット（図８（ａ）〜（ｄ）参照）とで電極穴１３の配置を異ならせておけば、前者および後者には、それぞれに対応して給電端子２１が配置にされた交流駆動タイプのＬＥＤランプ２、あるいは直流駆動タイプのＬＥＤランプ２しか装着できない。もちろんどちらの場合も、従来の蛍光ランプは装着できない。また、いずれの電極穴１３の配置も、ソケット１のガイド部１１の内周壁について回転対称ではないので、ＬＥＤランプ２の裏返し装着も防止できる。したがって、これらのソケット１を採用した照明器具は、対応した種別のＬＥＤランプ２のみが装着可能であり、種別の異なるＬＥＤランプの誤装着や、装着方向の誤り等の作業ミスを確実に防止できる。
【００３９】
またこれらのソケットには、ＬＥＤランプをアースするための１つの電極穴が更に形成されていてもよい。そしてＬＥＤランプ側では、その電極穴に対応したアース用の給電端子を口金部に設けて、これに金属本体を接続しておけば、感電事故等も防止できる。
【符号の説明】
【００４０】
１      ソケット
１１    ガイド部
１１ａ  口金収容凹部
１１ｂ  底面
１１ｆ  挿通孔
１２    本体部
１３    電極穴
２      ＬＥＤランプ
２０    口金部
２１    給電端子
【図１】
0006014374.tif 000002
【図２】
0006014374.tif 000003
【図３】
0006014374.tif 000004
【図４】
0006014374.tif 000005
【図５】
0006014374.tif 000006
【図６】
0006014374.tif 000007
【図７】
0006014374.tif 000008
【図８】
0006014374.tif 000009
【図９】
0006014374.tif 000010
【図１０】
0006014374.tif 000011